(57)【要約】      （修正有）【課題】閉塞時のバリアフリ−性能と、開放時の使い勝手の良さとを両立させた二重床用の蓋構造を提供する。【解決手段】表面に仕上材（カ−ペット）４０を配置して使用される二重床２０に回転機構を介して連結される蓋体１０により、二重床の上面に形成される開口３０を開閉可能に閉塞する蓋構造１であって、開口を閉塞した状態において、蓋体の上面が仕上材の上面と平行、又は略平行に配置され、開口を開放した状態において、蓋体の上面が仕上材の上面と平行、又は略平行に配置される。【選択図】図１
2020073767.tif 000002
【特許請求の範囲】
【請求項１】
二重床に対して回転機構によって連結される蓋体により、前記二重床の上面に形成される開口を開閉可能に閉塞する蓋構造であって、
前記回転機構は、前記蓋体の側面視において該蓋体を貫通する方向に沿って形成されて該蓋体を回転可能とする二種類の回転軸と、該二種類の回転軸同士を連結する連結部材とを有し、
前記連結部材は、前記二種類の回転軸のうちの一方により前記二重床に対して回転可能に連結され、前記二種類の回転軸のうちの他方により前記蓋体に対して回転可能に連結されており、
前記蓋体の開閉の際、前記二種類の回転軸同士の距離が略一定であることを特徴とする二重床用の蓋構造。
【請求項２】
二重床に対して回転機構によって連結される蓋体により、前記二重床の上面に形成される開口を開閉可能に閉塞する蓋構造であって、
前記回転機構は、前記蓋体の側面視において該蓋体を貫通する方向に沿って形成されて該蓋体を回転可能とする二種類の回転軸と、該二種類の回転軸同士を連結する連結部材とを有し、
前記連結部材は、前記二種類の回転軸のうちの一方により前記二重床に対して回転可能に連結され、前記二種類の回転軸のうちの他方により前記蓋体に対して回転可能に連結されており、
前記蓋体が前期開口を閉塞した状態における平面視において、前記蓋体の周囲を基準として、前記二種類の回転軸のうち前記二重床に連結されている一方の回転軸が前記蓋体に連結されている他方の回転軸よりも外側に形成されていることを特徴とする二重床用の蓋構造。
【請求項３】
二重床に対して回転機構によって連結される蓋体により、前記二重床の上面に形成される開口を開閉可能に閉塞する蓋構造であって、
前記回転機構は、前記蓋体の側面視において該蓋体を貫通する方向に沿って形成されて該蓋体を回転可能とする二種類の回転軸と、該二種類の回転軸同士を連結する連結部材とを有し、
前記連結部材は、前記二種類の回転軸のうちの一方により前記二重床に対して回転可能に連結され、前記二種類の回転軸のうちの他方により前記蓋体に対して回転可能に連結されており、
前記蓋体の閉塞状態において、前記二種類の回転軸は、前記蓋体の側面視において略同じ高さに配置されることを特徴とする二重床用の蓋構造。
【請求項４】
二重床に対して回転機構によって連結される蓋体により、前記二重床の上面に形成される開口を開閉可能に閉塞する蓋構造であって、
前記回転機構は、前記蓋体の側面視において該蓋体を貫通する方向に沿って形成されて該蓋体を回転可能とする二種類の回転軸と、該二種類の回転軸同士を連結する連結部材とを有し、
前記連結部材は、前記開口を閉塞する機能を有し、前記二種類の回転軸のうちの一方により前記二重床に対して回転可能に連結され、前記二種類の回転軸のうちの他方により前記蓋体に対して回転可能に連結されており、前記蓋体と共に前記開口を閉塞することを特徴とする二重床用の蓋構造。
【請求項５】
前記二重床は、前記開口が形成されている台座を含み、
前記二種類の回転軸のうちの一方が前記台座に連結されていることを特徴とする請求項１乃至４の何れかに記載の二重床用の蓋構造。
【発明の詳細な説明】
【技術分野】
【０００１】
本発明は、二重床上に形成される開口を開閉可能に閉塞する蓋構造に関するものである。
【背景技術】
【０００２】
二重床では、床下に配線された線材を床上に引き出したり、床下に設けられたコンセントボックスにプラグを差し込んだりするための開口が形成され、その開口を閉塞するために蓋体が取り付けられる。
【０００３】
例えば、特許文献１には、内部に電源用コンセント等を配設したコンセントボックスが二重床の床下に固定され、その上面に形成された開口が蓋体の回動により開閉可能となっている構成が開示されている。この特許文献１の蓋体は、開口の周囲の一段低い位置にフランジ部が形成され、その上に仕上材（カ−ペット）が配置されるようになっており、開口を閉塞した状態においては、蓋体の上面とカ−ペットの上面とが略同じ高さになるため、歩行等を阻害するような段差が形成されない所謂バリアフリ−性を有する構造となる。
【先行技術文献】
【特許文献】
【０００４】
【特許文献１】実開平７−１１８２８号
【発明の概要】
【発明が解決しようとする課題】
【０００５】
ところで、特許文献１の蓋体は、カ−ペットが無い状態では略１８０°回転して開口を開放できる構造になっているものの、カ−ペットが敷かれた実際の使用状況下では、周囲に配置されたカ−ペットに回転が阻害され、蓋体が二重床に対して傾斜した中途半端な状態で開放が停止してしまうため、例えば作業者が蓋体を開放した状態でその周囲で作業するような場合に、蓋体を踏まないようにする必要があり、作業の邪魔になって使い勝手が悪いという問題があった。
【０００６】
本発明は上記課題を解決するために提案するものであって、閉塞時のバリアフリ−性能と、開放時の使い勝手の良さとを両立させた二重床用の蓋構造を提供することを目的とする。
【課題を解決するための手段】
【０００７】
本発明の第１態様は、二重床に対して回転機構によって連結される蓋体により、前記二重床の上面に形成される開口を開閉可能に閉塞する蓋構造であって、前記回転機構は、前記蓋体の側面視において該蓋体を貫通する方向に沿って形成されて該蓋体を回転可能とする二種類の回転軸と、該二種類の回転軸同士を連結する連結部材とを有し、前記連結部材は、前記二種類の回転軸のうちの一方により前記二重床に対して回転可能に連結され、前記二種類の回転軸のうちの他方により前記蓋体に対して回転可能に連結されており、前記蓋体の開閉の際、前記二種類の回転軸同士の距離が略一定であることを特徴とする。
【０００８】
本発明の第２態様は、二重床に対して回転機構によって連結される蓋体により、前記二重床の上面に形成される開口を開閉可能に閉塞する蓋構造であって、前記回転機構は、前記蓋体の側面視において該蓋体を貫通する方向に沿って形成されて該蓋体を回転可能とする二種類の回転軸と、該二種類の回転軸同士を連結する連結部材とを有し、前記連結部材は、前記二種類の回転軸のうちの一方により前記二重床に対して回転可能に連結され、前記二種類の回転軸のうちの他方により前記蓋体に対して回転可能に連結されており、前記蓋体が前期開口を閉塞した状態における平面視において、前記蓋体の周囲を基準として、前記二種類の回転軸のうち前記二重床に連結されている一方の回転軸が前記蓋体に連結されている他方の回転軸よりも外側に形成されていることを特徴とする。
【０００９】
本発明の第３態様は、二重床に対して回転機構によって連結される蓋体により、前記二重床の上面に形成される開口を開閉可能に閉塞する蓋構造であって、前記回転機構は、前記蓋体の側面視において該蓋体を貫通する方向に沿って形成されて該蓋体を回転可能とする二種類の回転軸と、該二種類の回転軸同士を連結する連結部材とを有し、前記連結部材は、前記二種類の回転軸のうちの一方により前記二重床に対して回転可能に連結され、前記二種類の回転軸のうちの他方により前記蓋体に対して回転可能に連結されており、前記蓋体の閉塞状態において、前記二種類の回転軸は、前記蓋体の側面視において略同じ高さに配置されることを特徴とする。
【００１０】
本発明の第４態様は、二重床に対して回転機構によって連結される蓋体により、前記二重床の上面に形成される開口を開閉可能に閉塞する蓋構造であって、前記回転機構は、前記蓋体の側面視において該蓋体を貫通する方向に沿って形成されて該蓋体を回転可能とする二種類の回転軸と、該二種類の回転軸同士を連結する連結部材とを有し、前記連結部材は、前記開口を閉塞する機能を有し、前記二種類の回転軸のうちの一方により前記二重床に対して回転可能に連結され、前記二種類の回転軸のうちの他方により前記蓋体に対して回転可能に連結されており、前記蓋体と共に前記開口を閉塞することを特徴とする。
【００１１】
また、前記二重床は、前記開口が形成されている台座を含み、前記二種類の回転軸のうちの一方が前記台座に連結されていることが望ましい。
【００１２】
また、本発明の第５態様は、表面に仕上材を配置して使用される二重床に開閉機構を介して連結される蓋体により、前記二重床の上面に形成される開口を開閉可能に閉塞する蓋構造であって、前記開口を閉塞した状態において、前記蓋体の上面が前記仕上材の上面と平行、又は略平行に配置され、前記開口を開放した状態において、前記蓋体の自重により、又は前記蓋体が下方に押圧されると、前記蓋体の上面が前記仕上材の上面と平行、又は略平行に配置されることを特徴とする。
【００１３】
このように、本発明の二重床用の蓋体は、開口を閉塞した状態において、その上面がカ−ペット等の仕上材の上面と平行、又は略平行に配置されるため、仕上材に対して蓋体が大きく傾斜したりせず歩行者等の歩行が阻害され難い。その一方で、開口を開放した状態
においては、蓋体の自重により、又は蓋体が下方に押圧されると、その上面がカ−ペット等の仕上材の上面と平行、又は略平行に配置されるため、作業者が蓋体を踏んでも問題が無いことになり、その分作業の邪魔になり難く使い勝手が良くなる。すなわち、閉塞時のバリアフリ−性能と、開放時の使い勝手の良さとを両立させることができる。
【００１４】
また、前記開口を閉塞した状態において、前記開口を閉塞した状態において、前記蓋体の上面が前記仕上材の上面と略同じ高さの位置、又は同じ高さ以下の位置に配置され、前記開口を開放する際、前記開閉機構の一部が上方に移動することが望ましい。
【００１５】
上記の構成によれば、開口を閉塞した状態において、蓋体の上面が仕上材の上面よりも上側に大きく突出しないため、閉塞時におけるバリアフリ−性能がその分向上することになる。
【００１６】
また、前記開閉機構が回転機構であり、前記開口を開放した状態において、前記蓋体の自重により、又は前記蓋体が下方に押圧されると、前記蓋体の上面が、前記仕上材の上面に対して当接することが望ましい。
【００１７】
上記の構成によれば、回転という簡易な動作により蓋体を開放でき、また、例えば、開放した後に蓋体が作業者により踏まれたとしても、蓋体の上面が傷ついたりする危険性を低くすることができる。
【００１８】
また、前記回転機構は、少なくとも二つの回転部と、該二つの回転部同士を連結する連結部材とを有することが望ましい。特に、平面視において、前記開口を閉塞した状態の前記蓋体の周囲を基準として、前記二つの回転部のうちの一方の回転部を上方に移動させるための他方の回転部が前記一方の回転部よりも内側に形成されているとより望ましい。
【００１９】
上記の構成によれば、回転という簡易な動作のみにより蓋体を開閉できる。特に、閉塞時に蓋体の上面が仕上材の上面と面一かそれ以下に配置されるような場合であっても、蓋体を上方に持上げるような動作を付け加えなくとも、回転動作のみで蓋体を開放することができ、使い勝手が良い。
【００２０】
さらに、表面に仕上材を配置して使用される二重床に回転機構を介して連結される蓋体により、前記二重床の上面に形成される開口を開閉可能に閉塞する蓋構造であって、前記開口を閉塞した状態において、前記蓋体の上面が前記仕上材の上面と同程度の高さ位置に配置され、前記開口を開放する際に、前記回転機構の一部が前記仕上材の上面よりも上方に移動し、前記開口を開放した状態において、前記蓋体の上面が、前記仕上材の上面に対して当接することを特徴とする。
【００２１】
このように、本発明の二重床用の蓋体は、開口を閉塞した状態においては、蓋体の上面が仕上材の上面よりも上側に大きく突出しないため、閉塞時において作業者の歩行等を阻害され難くなり、開口を開放した状態においては、仕上材に対して傾斜した状態で開放が停止してしまうことがなく、例えば作業者が蓋体を開放した状態でその周囲で作業するような場合に、蓋体が作業の邪魔になり難く使い勝手が良い。すなわち、閉塞時のバリアフリ−性能と、開放時の使い勝手の良さとを両立させることができる。
【００２２】
さらに、表面に仕上材を配置して使用される二重床に回転機構を介して連結される蓋体により、前記二重床の上面に形成される開口を開閉可能に閉塞する蓋体であって、前記開口を閉塞した状態において、前記蓋体の上面が前記仕上材の上面と略同じ高さの位置、又は同じ高さ以下の位置に配置され、前記回転機構は、二つの回転軸と、該二つの回転軸同士を連結する連結部材とを有し、前記二つの回転軸同士の間の距離が、前記仕上材の厚み
と同程度、又は前記仕上材の厚みよりも大きく設定されており、平面視において、前記二つの回転軸のうち前記蓋体を上方に移動させるための回転軸がもう一方の回転軸よりも内側に形成されていることを特徴とする。
これにより、開口を閉塞した状態においては、蓋体の上面が仕上材の上面よりも上側に大きく突出しないため、閉塞時において歩行等が阻害され難くなり、開口を開放した状態においては、二つの回転軸により蓋体が上方に移動するため、蓋体の自重により、又は蓋体が下方に押圧されると、その上面がカ−ペット等の仕上材の上面と平行、又は略平行に配置されるため、作業者が蓋体を踏んでも問題が無いことになり、その分作業の邪魔になり難く使い勝手が良くなる。すなわち、閉塞時のバリアフリ−性能と、開放時の使い勝手の良さとを両立させることができる。
【００２３】
さらに、表面に仕上材を配置して使用される二重床に回転機構を介して連結される蓋体により、前記二重床の上面に形成される開口を開閉可能に閉塞する蓋構造であって、前記開口を閉塞した状態において、前記回転機構の上部が前記仕上材の上面と略同じ高さの位置、又は同じ高さ以下の位置に配置され、前記開口を開放した状態において、前記蓋体の自重により、又は前記蓋体が下方に押圧されると、前記蓋体の上部が、前記仕上材の上面に対して当接することを特徴とする。
これにより、開口を閉塞した状態においては、回転機構がカ−ペット等の仕上材より上方に大きく突出せず、開口を開放した状態においては、蓋体の自重により、又は蓋体が下方に押圧されると、その上部がカ−ペット等の仕上材の上面に当接した状態となるため、作業者が蓋体を踏んでも問題が無いことになる。すなわち、閉塞時のバリアフリ−性能と、開放時の使い勝手の良さとを両立させることができる。
【発明の効果】
【００２４】
本発明によれば、二重床用の蓋構造において、閉塞時のバリアフリ−性能と、開放時の使い勝手の良さとを両立できる。
【図面の簡単な説明】
【００２５】
【図１】本発明の第１実施形態の蓋構造を説明するための斜視図である。
【図２】本発明の第１実施形態の蓋構造において蓋体が閉塞している状態を説明するための模式図であり、（ａ）が平面を示した模式図であり、（ｂ）が正面を示した模式図であり、（ｃ）が側面を示した模式図である。
【図３】本発明の第１実施形態の蓋構造において蓋体が開放していく状態を説明するための模式図であり、（ａ）が平面を示した模式図であり、（ｂ）が正面を示した模式図であり、（ｃ）が側面を示した模式図である。
【図４】本発明の第１実施形態の蓋構造において蓋体が開放した状態を説明するための模式図であり、（ａ）が平面を示した模式図であり、（ｂ）が正面を示した模式図であり、（ｃ）が側面を示した模式図である。
【図５】本発明の第１変形例の蓋構造示した模式図である。
【図６】本発明の第２変形例の蓋構造において蓋体が閉塞している状態を説明するための模式図であり、（ａ）が平面を示した模式図であり、（ｂ）が正面を示した模式図であり、（ｃ）が側面を示した模式図である。
【図７】本発明の第２変形例の蓋構造において蓋体が開放した状態を説明するための模式図であり、（ａ）が平面を示した模式図であり、（ｂ）が正面を示した模式図であり、（ｃ）が側面を示した模式図である。
【図８】本発明の第３変形例の蓋構造において蓋体が閉塞している状態を説明するための模式図であり、（ａ）が平面を示した模式図であり、（ｂ）が正面を示した模式図であり、（ｃ）が側面を示した模式図である。
【図９】本発明の第３変形例の蓋構造において蓋体が開放した状態を説明するための模式図であり、（ａ）が平面を示した模式図であり、（ｂ）が正面を示した模式図であり、（ｃ）が側面を示した模式図である。
【図１０】本発明の第４変形例の蓋構造において蓋体が閉塞している状態を説明するための模式図であり、（ａ）が平面を示した模式図であり、（ｂ）が正面を示した模式図であり、（ｃ）が側面を示した模式図である。
【図１１】本発明の第４変形例の蓋構造において蓋体が開放した状態を説明するための模式図であり、（ａ）が平面を示した模式図であり、（ｂ）が正面を示した模式図であり、（ｃ）が側面を示した模式図である。
【図１２】本発明の第２実施形態の蓋構造において蓋体が閉塞している状態を説明するための模式図であり、（ａ）が平面を示した模式図であり、（ｂ）が正面を示した模式図であり、（ｃ）が側面を示した模式図である。
【図１３】本発明の第２実施形態の蓋構造において蓋体が開放した状態を説明するための模式図であり、（ａ）が平面を示した模式図であり、（ｂ）が正面を示した模式図であり、（ｃ）が側面を示した模式図である。
【発明を実施するための形態】
【００２６】
以下、本発明の実施形態の二重床用の蓋構造について図面に基づいて説明する。尚、本発明の二重床用の蓋構造は、以下の実施形態及びその変形例に限定されるものではない。
【００２７】
《第１実施形態》
本発明による第１実施形態の二重床用の蓋構造について、図１〜４を用いて説明する。
【００２８】
図１に示すように、第１実施形態の二重床用の蓋構造１は、蓋体１０が二重床２０の床面上に取り付けられて、二重床２０に設けられた開口３０を開放可能に閉塞するものであり、必要に応じて蓋体１０を開放することで、開口３０を通して二重床２０の内部にアクセス可能となっている。また、二重床２０の床面上にはカ−ペット４０（仕上材）が敷かれている。
【００２９】
二重床２０は、種々の構造のものが選択可能であるが、第１実施形態においては、例えば、樹脂製の複数の支持脚２１とその上に配置されて支持脚２１により下から支持される方形で鋼板製の複数のパネル２２とを有する。
【００３０】
パネル２２は、例えば、複数あるうちの一部が、大型（この場合パネル２２二枚分）のパネル２３として形成され、ここに、蓋体１０を取り付ける台座５０が一体に嵌め込まれている。そして、この台座５０に、上述の開口３０が形成されている。
【００３１】
蓋体１０は、後述する回転機構（開閉機構）を介して台座５０に連結され、開口３０を閉塞した状態においては、蓋体１０の上面がカ−ペット４０の上面と平行、又は略平行に配置される。一方で、蓋体１０は、開口３０を開放した状態においては、回転機構により全体が回転して上下反転し、自然に（すなわち、例えば作業者が開口３０を開放した後に蓋体１０から手を放した場合に蓋体１０の自重によって）蓋体１０の上面がカ−ペット４０の上面と平行、又は略平行に配置されるようになっている。
【００３２】
これにより、第１実施形態の蓋構造１は、開口３０の閉塞時、蓋体１０の上面がカ−ペット４０の上面と平行、又は略平行に配置されることにより、その分だけ歩行等を阻害する可能性が低くなる。その一方で蓋構造１は、開口３０の開放時、蓋体１０の上面がカ−ペット４０の上面と平行、又は略平行になるまで開放されるため、蓋体１０を開放した状態で周囲で作業するような場合であっても、作業者が蓋体１０を踏んでも問題が無いため、作業の邪魔にならず使い勝手が良くなる。すなわち、第１実施形態の蓋体１０は、閉塞時のバリアフリ−性能と、開放時の使い勝手の良さとを両立できる。
尚、第１実施形態の蓋構造１は、蓋体１０と、回転機構（開閉機構）と、台座５０とを
有する構成になっている。
【００３３】
以下、蓋構造１の詳細構成について、図１〜４を用いて更に説明する。
【００３４】
先ず、蓋体１０は、平面視で略矩形の平板状の蓋本体１１を備えており、平板状の蓋本体１１の上側の面が蓋上面１１ａ、下側の面が蓋下面１１ｂである。また、蓋本体１１は、四つの辺が、正面辺部１１ｃと、正面辺部１１ｃの反対側の背面辺部１１ｄと、正面辺部１１ｃと背面辺部１１ｄとを繋ぐ側面辺部１１ｅ・１１ｅとなっており、背面辺部１１ｄが平面視で略コ字形状に切り込まれることで、蓋凹部１２が形成されている。
【００３５】
また蓋本体１１の蓋凹部１２の両側の背面辺部１１ｄには、蓋本体１１の厚みを蓋下面１１ｂ側に厚くするようにして、略円柱状の蓋側軸部１３が、一体に設けられている。すなわち、蓋体１０は、蓋本体１１と蓋側軸部１３とを有していることになる。
【００３６】
台座５０は、平面視で略矩形の平板状の台座本体５１を備えており、平板状の台座本体５１の上側の面が台座上面５１ａ、下側の面が台座下面５１ｂであり、台座上面５１ａから台座下面５１ｂに貫通するようにして、略矩形の開口３０が形成されている。また、台座本体５１の四つの辺は、正面辺部５１ｃと、正面辺部５１ｃの反対側の背面辺部５１ｄと、正面辺部５１ｃと背面辺部１１ｄとを繋ぐ側面辺部５１ｅ・５１ｅとなっている。
【００３７】
台座本体５１の台座上面５１ａ側には、開口３０を取り囲む縁部のうち、正面辺部５１ｃ側の部分と両側面辺部５１ｅ・５１ｅ側の部分とが凸部５２として上方に突設されており、この凸部５２の突設高さと蓋体１０の蓋本体１１の厚みとの合計が、カ−ペット４０の厚みと同程度（カ−ペット４０の厚みよりも数ｍｍ程度高いものを含む）か、それ以下の高さに設定されている。
【００３８】
その一方で、開口３０を取り囲む縁部のうち、背面辺部５１ｄ側の部分には、台座側軸部５３が上方に突設されており、この台座側軸部５３の突設高さが、カ−ペット４０の厚みと同程度（カ−ペット４０の厚みよりも数ｍｍ程度高いものを含む）か、それ以下の高さに設定されている。そして、この台座側軸部５３は、蓋体１０が開口３０を閉塞したときに、蓋凹部１２に収まるようになっている。
【００３９】
これに加え、蓋構造１には、蓋体１０の蓋側軸部１３と台座側軸部５３とを繋ぐ一対の連結部材６０が設けられている。この連結部材６０は、例えば、二つの軸が略Ｚ字形状（クランク形状）に結合したような構造をしており、一方の軸（第一回転軸６１）が蓋側軸部１３の軸穴１３ａ（図１）に挿通され、もう一方（他方）の軸（第二回転軸６２）が台座側軸部５３の軸穴５３ａ（図１）に挿通されることで、台座５０に対して蓋体１０を回転可能な状態で連結している。これにより蓋体１０は、二重床２０に対して、開口３０を開閉可能に取り付けられることになる。すなわち、蓋構造１は、蓋体１０と、連結部材６０と、台座５０とを有している。また、蓋構造１における開閉機構（回転機構）は、蓋側軸部１３、台座側軸部５３及び連結部材６０であり、第一回転軸６１と蓋側軸部１３とが一つの回転部（第一回転部）を形成し、第二回転軸６２と台座側軸部５３とがもう一つの回転部（第二回転部）を形成しており、これら二つの回転部を連結部材６０により連結したような構造となっている。
【００４０】
次に、蓋体１０を開放する動作の一例について、上述した図１と、図２〜４を参照しながら説明する。尚、判り易さを優先するため、カ−ペット４０は、図１、図２（ｃ）、図３（ｃ）及び図４（ｃ）のみに記載し、それ以外の図においては省略し図示しないものとする。
【００４１】
先ず、作業者は、図２に示すような蓋体１０の閉塞状態において、指や工具によって蓋体１０の正面辺部１１ｃを上方に持上げると、連結部材６０の第一回転軸６１に対して蓋側軸部１３の軸穴１３ａが回転することになり、結果として、蓋体１０全体が上方向に回転して、図３に示すように開口３０を開放していくことになる。
【００４２】
その後、図３に示す状態から作業者が更に蓋体１０を開放方向に回転させると、蓋本体１１の蓋上面１１ａがカ−ペット４０の端縁に当接する。そして、蓋上面１１ａがカ−ペット４０に当接した状態で蓋体１０が更に開方向に回転されると、連結部材６０の第二回転軸６２が台座側軸部５３の軸穴５３ａに対して回転することで、連結部材６０の第一回転軸６１が上方に移動することになる。
【００４３】
ここで、この第１実施形態の場合、連結部材６０の第一回転軸６１と第二回転軸６２との間の距離が、カ−ペット４０の厚みと同程度かそれ以上に設定されているため、第一回転軸６１はカ−ペット４０の上面と略同じ高さか、それよりも高い位置まで移動することになる。すなわち、蓋体１０は、開方向への回転に伴い、カ−ペット４０の上面と略同じ高さか、それよりも高い位置まで移動することになる。そして蓋体１０は、図４に示すように、全体が回転して上下反転し、蓋体１０の蓋上面１１ａがカ−ペット４０の上面に対して自重により当接する。
【００４４】
このようにして、蓋体１０は、開口３０を開放すると、その蓋上面１１ａがカ−ペット４０の上面と平行、又は略平行に配置されるようになっている。そして、蓋体１０は、開放時と逆の動作により、開口３０を閉塞できるようになっている。尚、図２〜図４に示した蓋体１０の開放動作はあくまで一例であり、可能な範囲において他の開放動作も可能である。
【００４５】
この結果、第１実施形態の蓋体１０は、開口３０を閉塞した状態において、その上面がカ−ペット４０の上面と平行、又は略平行に配置されるため、カ−ペット４０に対して蓋体１０が傾斜したりせず、その分歩行等が阻害され難くなる。その一方で、開口３０を開放した状態においては、蓋体１０の自重により、その蓋上面１１ａがカ−ペット４０の上面と平行、又は略平行に配置されるため、作業者が蓋体１０を踏んでも問題が無いだけでなく、蓋体１０にぶつからないよう気を付ける必要も低減され、作業の邪魔になり難く使い勝手が良くなる。すなわち、閉塞時のバリアフリ−性能と、開放時の使い勝手の良さとを両立させることができる。
【００４６】
また、第１実施形態の蓋体１０は、開口３０を閉塞した状態においては、蓋体１０の蓋上面１１ａや蓋側軸部１３の上端がカ−ペット４０の上面よりも上側に突出しないため、閉塞時におけるバリアフリ−性能はその分向上する。
【００４７】
さらに、第１実施形態の蓋体１０は、開閉機構として、二つの回転部（回転軸）を有する回転機構を採用しており、蓋体１０を開放した状態において蓋体１０の蓋上面１１ａが自重によりカ−ペット４０の上面に当接するようになっているため、回転という簡易な動作により蓋体を開放できて使い勝手が良い。また、開放時に蓋体１０がカ−ペット４０に対して傾斜した状態で開放が係止（停止）され難いため、例えば作業者が蓋体１０を開放した状態でその周囲で作業するような場合に、蓋体１０が作業の邪魔になり難い。さらに、例えば、開放した蓋体１０が作業者により踏まれたとしても、蓋体１０の蓋上面１１ａはカ−ペット４０に当接している、すなわち換言すればカ−ペット４０に保護されているため、蓋上面１１ａ傷ついたりする危険性を低くすることができ、これらの点においても使い勝手が良い。
【００４８】
《第１実施形態の変形例》
尚、上述の第１実施形態においては、仕上材がカ−ペット４０である場合について述べたが、本発明はこれに限らず、ビニ−ルタイルやフロ−リング板等、二重床２０の上面に配置できるものであれば特に限定せず、種々の構成を広く含むものである。
【００４９】
また、上述の第１実施形態においては、パネル２３に台座５０を嵌め込んだ場合について述べたが、本発明はこれに限らず、例えば、パネル２３に開口３０を直接形成し、そこに蓋体１０を開閉可能に連結するようにしても良い。要は、蓋構造１において、二重床２０に対する蓋体１０の連結構造は特に限定せず、種々の構成を広く含むものである。
【００５０】
また、上述の第１実施形態においては、二重床２０として、樹脂製の支持脚２１の上に方形で鋼板製のパネル２２やパネル２３を配置するような場合について述べたが、本発明はこれに限らず、支持脚２１は金属等他の素材であっても良いし、ボルトにより高さ調整可能なものや、コンクリ−ト製の支持マットであっても良い。また、パネル２２やパネル２３は、パ−チクルボ−ドを用いたものや、ウッドコアを鋼板で挟み込んだもの、コンクリ−ト製のもの、格子状のもの、中空状のもの、中空状の内部にモルタル等を充填したもの、支持脚一体型で全体が樹脂で成型されているもの等、種々の二重床２０を用いることができる。
【００５１】
また、上述の第１実施形態においては、蓋体１０の蓋本体１１の上部が面（蓋上面１１ａ）として形成されるようにした場合について述べたが、これは、平面だけでなく緩やかな曲面を有するものも含み、さらに、例えば装飾や構造の継ぎ目といった凹凸があっても、全体として面状に構成されているのであれば、面として扱うものとする。さらには、カ−ペット４０との間で段差が形成されることが許容されるような場合には、蓋体１０の上部にある程度大きな凹凸を形成するようにしてもよい。この場合、例えば蓋体１０において、蓋本体１１の正面辺部１１ｃ側以外の蓋上面１１ａを少し凹ませて形成してやれば、開放時に回転軸が上に移動しない蓋構造であっても、蓋体の上部がカ−ペット４０の上面に当接するまで開放させることが可能になり、上述と同様の効果を得ることができる。
【００５２】
また、上述の第１実施形態においては、台座５０に凸部５２を形成し、この凸部５２の突設高さと蓋体１０の蓋本体１１の厚みとの合計が、カ−ペット４０の厚みと同程度（カ−ペット４０の厚みよりも数ｍｍ程度高いものを含む）か、それ以下の高さに設定されるようにした場合について述べたが、本発明はこれに限らず、凸部５２を形成しない構成としても良く、その場合には、蓋本体１１の厚みを、カ−ペット４０の厚みと同程度（カ−ペット４０の厚みよりも数ｍｍ程度高いものを含む）か、それ以下の高さに設定すれば良い。また、カ−ペット４０との間で段差が形成されることが許容されるような場合には、凸部５２の突設高さと蓋体１０の蓋本体１１の厚みとの合計（若しくは蓋本体１１の厚み）が、カ−ペット４０よりも厚くなっても良い。すなわち、蓋体１０の蓋上面１１ａは、閉塞時において、カ−ペット４０の上面と略同じ高さの位置（カ−ペット４０の上面から数ｍｍ程度突出する場合を含む）、又は同じ高さ以下の位置に配置されることが望ましいが、カ−ペット４０との間で段差が形成されることが許容されるような場合には、その許容される範囲において突出していても良い。このことは、台座側軸部５３の上部とカ−ペット４０の上面との関係においても同様である。
【００５３】
また、上述の第１実施形態においては、開口３０を開放した状態において、蓋体１０が、回転機構により全体が回転して上下反転し、蓋体１０の自重によって、その蓋上面１１ａがカ−ペット４０の上面と平行、又は略平行に配置される（より詳細には、蓋体１０の蓋上面１１ａがカ−ペット４０の上面に対して当接する）ようにした場合について述べたが、本発明はこれに限らない。開放した状態においては、蓋体１０がカ−ペット４０に係止されてある程度傾斜した状態で停止し、その傾斜した状態の蓋体１０が下方（カ−ペット４０の方）に所定の力（例えば、作業者による押圧や、歩行者の踏圧程度の力）で押圧
されたときに、蓋体１０の上面がカ−ペット４０の上面と平行、又は略平行に配置される（より詳細には、蓋体１０の蓋上面１１ａがカ−ペット４０の上面に対して当接する）ようにしてもよい。このような構成であっても、上述と同様の効果を得ることができる。
【００５４】
また、上述の第１実施形態においては、連結部材として、第一回転軸６１と第二回転軸６２とを略Ｚ字形状（クランク形状）に結合したような連結部材６０（図１〜図４）を適用した場合について述べたが、本発明はこれに限らず、大きさや形状は種々のものが選定可能であり、例えば第１変形例として図５に示す蓋構造１０１の連結部材１６０のように、蓋側軸部１３と台座側軸部５３とを連結するだけでなく、蓋本体１１と同一高さか略同一高さに配置されて蓋体１０としての機能も兼用するような構成であっても上述の第１実施形態と同様の効果が得られる。
【００５５】
さらに、図５の第１変形例の蓋構造１０１の連結部材１６０場合、軸と軸穴の雌雄の関係が逆であっても良く、すなわち、軸穴１３ａ及び軸穴５３ａに相当する軸穴を連結部材１６０側にそれぞれ形成し、第一回転軸６１に相当する軸を蓋側軸部１３側から突出させると共に第二回転軸６２に相当する軸を台座側軸部５３側から突出させ、それらを連結部材１６０に形成した軸穴に挿入するようにしても良く、そのような構成であっても、やはり上述の第１実施形態と同様の効果が得られる。
【００５６】
また、上述の第１実施形態及び第１変形例においては、平面視において、開口３０を閉塞した状態の蓋体１０の周囲を基準として、第二回転軸６２が第一回転軸６１よりも内側に形成されるようにした場合について述べたが、本発明はこれに限らず、例えば図６及び図７に示す第２変形例の蓋構造１０２ように、平面視において第二回転軸６２が第一回転軸６１よりも外側に形成されるようにしても良く、このような蓋構造１０２であっても、第１実施形態の蓋構造１や第１変形例の蓋構造１０１と同様に、第二回転軸６２の回転により第一回転軸６１が上方に移動し、蓋体１０を開放することが可能である（図７）。
【００５７】
また、上述の第１実施形態及び第１・２変形例の開閉機構（回転機構）においては、第二回転軸６２（第二回転部）の回転移動により第一回転軸６１（第一回転部）を上方に移動させるようにした場合について述べたが、本発明はこれに限らず、例えば図８及び図９に示す第３変形例の蓋構造１０３ように、スライド移動により第一回転軸６１を上方に移動させるようにしても良い。この蓋構造１０３の場合、台座５０において台座本体５１と台座側軸部５３とが別体で形成されており、台座側軸部５３の底面から下方に突設された柱５４が、台座本体５１の貫通孔５５を通って台座本体５１の裏側まで挿通している。
【００５８】
柱５４の下端にはこの柱５４よりも太いストッパ−５６が設けられていることにより、台座本体５１に対して台座側軸部５３が分離しないように、且つスライド可能に取り付けられている。そして、例えば針金等の剛性のある線材でなる連結部材２６０の一方の端を台座側軸部５３の軸穴５３ａに挿入すると共に、もう一方の端を蓋体１０の蓋側軸部１３の軸穴１３ａに挿入して回転軸（説明の便宜上、これも第一回転軸とする）を形成することで、台座側軸部５３に対して蓋体１０が開閉可能に取り付けられている。すなわち、蓋構造１０３における開閉機構（回転機構）は、連結部材２６０（第一回転軸）と蓋側軸部１３と台座側軸部５３とが一つの回転部として形成され、その回転部を上方に移動可能な上方移動部が、柱５４と貫通孔５５とストッパ−５６とにより形成されている。尚、柱５４の高さは、カ−ペット４０の上面以上の高さまで回転部を移動可能な高さであることが望ましい。
【００５９】
このような蓋構造１０３であっても、柱５４と貫通孔５５とのスライドにより第一回転軸６１（回転部）が上方に移動できるため、上述の第１実施形態及び第１・２変形例の開閉機構（回転機構）と同様に、蓋体１０を開放することが可能である（図９）。
【００６０】
また、上述の第３変形例においては、柱５４と貫通孔５５とのスライドにより連結部材２６０（第一回転軸）を上方に移動可能とした場合について述べたが、例えば図１０及び図１１に示す第４変形例の蓋構造１０４ように、ワイヤ−７０を貫通孔５７に挿通させることにより、第一回転軸を上方に移動させるようにしても良い。この蓋構造１０４の場合、上述した一対の蓋側軸部１３のそれぞれの軸穴１３ａに対してワイヤ−７０の一端を固定することで回転軸（説明の便宜上、これも第一回転軸とする）を形成すると共に、他端を、台座本体５１の貫通孔５７を通って台座本体５１の裏側まで挿通させている。そして、挿通した一対のワイヤ−７０・７０の他端同士を、例えばバネ材やゴム等で成る弾性部材８０により引っ張った状態で連結することにより、台座本体５１に対して蓋体１０が開閉可能に取り付けられている。すなわち、蓋構造１０４における開閉機構（回転機構）は、蓋側軸部１３とワイヤ−７０とが一つの回転部として形成され、その回転部を上方に移動可能な上方移動部が、ワイヤ−７０と弾性部材８０とにより形成されている。
【００６１】
このような蓋構造１０４であっても、弾性部材８０が伸びてワイヤ−７０が貫通孔５７に対してスライドすると第一回転軸（回転部）が上方に移動できるため、上述の第１実施形態及び第１〜３変形例の開閉機構（回転機構）と同様に、蓋体１０を開放することが可能である（図１１）。
尚、この蓋構造１０４の場合、ワイヤ−７０の代わりにゴム等の線状の弾性部材を用意し、その一端を蓋側軸部１３の軸穴１３ａに固定し（第一回転軸）、他端を台座側軸部５３の軸穴５３ａに相当する位置に固定する（第二回転軸）ようにしても良い。また、例えば、弾性（バネ性）を有する軸部材により、蓋側軸部１３の軸穴１３ａと台座側軸部５３の５３ａとを連結するようにし（すなわち、軸穴１３ａと軸部材の連結部分が第一回転軸であり、軸穴５３ａと軸部材の連結部分が第二回転軸である）、蓋側軸部１３と台座側軸部５３との間を、軸部材が変形可能な程度離間するように設定しても良い。
【００６２】
また、上述の第１実施形態及び第１〜４変形例においては、開閉機構として少なくとも一つの回転部を有する回転機構で蓋体１０を開閉させるようにした場合について述べたが、本発明はこれに限らず、他にも種々の構成が可能である。例えば、蓋体１０を前後方向（正面辺部１１ｃと背面辺部１１ｄを結ぶ方向）に沿って複数に分割し、それらを可撓性部材（布やシ−ト）で連結してやれば、結果として複数の回転部（この場合、全体を大きな回転部と定義しても良い。ただし、どちらにしろ、可撓性部材を用いているので明確な回転軸は形成されない）が形成されることになり、上述の第２変形例と同様に蓋体１０を開閉することが可能である。また、例えば、第４実施形態の蓋構造１０４においては、蓋体１０と台座本体５１とを２本のワイヤ−７０で連結しているが、これを１本だけにしても良く、そうすることで、蓋体１０を引き上げた状態で水平方向に回転させてカ−ペット４０の上に移動させることも可能である。
【００６３】
これに加え、例えば、図１２及び図１３に示す蓋構造２００ように、回転部を有しない開閉機構によって蓋体１１０を開閉させるようにしても良い。以下、この蓋構造２００を第２実施形態として説明する。尚、この図１２及び図１３の第２実施例の蓋構造２００において、上述の第１実施形態及び第１〜４変形例と同じ構成（及び相当する構成）には同じ符号を付しており、その説明を省略している。
【００６４】
《第２実施形態》
第２実施形態の蓋構造２００における蓋体１１０は、第１実施形態や第１〜４変形例の蓋体１０が有していた蓋側軸部１３が設けられていない点が異なる。
【００６５】
蓋体１１０は、蓋上面１１ａの両側面辺部１１ｅ側において、正面辺部１１ｃから背面辺部１１ｄにかけて凹溝１１ｆが形成されている。また、凹溝１１ｆには、その略全長に
亘って長孔１１ｇが形成されている。この長孔１１ｇには、連結部材３６０が挿通されている。
【００６６】
連結部材３６０は、長孔１１ｇに挿通される連結本体３６１の上部に、凹溝１１ｆの幅より幅狭で長孔１１ｇの幅よりも幅広の頭部３６２を有しており、この頭部３６２の高さは凹溝１１ｆの深さよりも低く設定されている。
【００６７】
第２実施形態の台座５０は、開口３０を取り囲む縁部の全体（正面辺部５１ｃ側、背面辺部５１ｄ側、及び両側面辺部５１ｅ・５１ｅ側の部分）に亘って凸部５２が形成されており、この凸部５２と背面辺部５１ｄとの間で且つ蓋体１１０の長孔１１ｇと対応する台座本体５１の位置に、貫通孔５８が形成されている。そして、上述の連結部材３６０の連結本体３６１は、蓋体１１０の長孔１１ｇとこの台座５０の貫通孔５８を挿通して台座本体５１の裏側まで貫通している。
【００６８】
連結部材３６０の連結本体３６１の下端には、この連結本体３６１よりも太いストッパ−３６３が設けられていることにより、台座５０に対して蓋体１１０が分離しないように、且つ長孔１１ｇに沿ってスライド可能に取り付けられている。また、連結本体３６１の高さは、蓋体１１０をカ−ペット４０の上面以上の高さにまで移動可能な高さに設定されており、さらに、頭部３６２と台座本体５１との間には、連結本体３６１が挿通されるようにしてバネ材やゴム等で成る弾性部材９０が設けられている。
【００６９】
このような第２実施形態の蓋構造２００の蓋体１１０は、開口３０を閉塞した状態において、図１２に示すように、その上面がカ−ペット４０の上面と平行、又は略平行に配置されるため、カ−ペット４０に対して蓋体１０が傾斜したりせずバリアフリ−性を有する構造となる。
【００７０】
その一方、第２実施形態の蓋構造２００の蓋体１１０は、開口３０を開放する際には、図１３に示すように、蓋体１１０を上方に持上げて背面辺部１１ｄの方にスライドさせてやればよく、その結果、蓋上面１１ａがカ−ペット４０の上面と平行、又は略平行に配置されるため、作業者が蓋体１０を踏んでも問題が無いだけでなく、蓋体１０にぶつからないよう気を付ける必要も低減され、作業の邪魔になり難く使い勝手が良くなる。すなわち、閉塞時のバリアフリ−性能と、開放時の使い勝手の良さとを両立させることができる。
【００７１】
また、第２実施形態の蓋体１１０においても、開口３０を閉塞した状態においては、蓋体１０の蓋上面１１ａや蓋側軸部１３の上端がカ−ペット４０の上面よりも上側に突出しないように設定することで、閉塞時におけるバリアフリ−性能はその分向上する。
【００７２】
これに加え、第２実施形態の蓋体１１０は、開口３０の開放時においても、通常使用において歩行者の踏圧等に耐えうるように設計された蓋体１１０の蓋上面１１ａが上に向いた状態でカ−ペット４０上に配置されることになり、例えば作業者によってカ−ペット４０上の蓋体１１０が踏まれたとしても、蓋体１１０が破損し難い。
【００７３】
さらに、第２実施形態の蓋構造２００は、開口３０の閉塞状態において、平面視における蓋体１１０の凹溝１１ｆよりも内側の部分を、凸部５２で下から支持するようになっており（図１３）、これにより、長孔１１ｇによる蓋体１１０の強度低下の影響が極力出ないようになっている。
【００７４】
尚、上述の第１及びその変形例においては、蓋体の開放時に蓋体が仕上材（カ−ペット）の上面以上の高さに移動し、その結果として、蓋体の自重によりカ−ペット上にペタンと載置されるような状況を主眼に構成を記載したが、実際の使用上、カ−ペットの起毛状
態や厚さは一定ではないため、蓋体がカ−ペットの上面以上の高さに移動できないような場合も想定され、その場合には、蓋体の開放はカ−ペットに対してある程度傾斜した状態で停止することとなる。また、例えば、第４変形例や第２実施形態の場合においては、蓋体がカ−ペットの上面以上の高さに移動していたとしても、弾性部材８０や弾性部材９０の付勢力が強く設定されていると、蓋体がカ−ペットに対して傾斜してしまうことも有り得る。しかし、こういった開放時に蓋体が傾斜してしまうような場合であっても、例えばカ−ペットの起毛を圧縮する程度に、若しくは弾性部材８０や弾性部材９０の力に打ち勝つ程度に、蓋体を下方（カ−ペットの方）に押圧してやれば、蓋体をカ−ペット上にペタンとなるまで開放することができ、上述した第１及び第２実施形態及びその変形例の効果は得られるものである。
【００７５】
以上、第１及び第２実施形態及びその変形例の蓋構造について説明したが、本発明はこれに限定されず、本発明を実施できる範囲であれば、実施形態や変形例の各構成を適宜変更した形態や、実施形態や変形例の各構成を部分的に抽出して構成した形態や、実施形態や変形例の各構成の一部又は全部を任意に抽出して組み合わせて構成した形態や、実施形態や変形例の各構成を上位概念化したものについても広く包含するものである。
【符号の説明】
【００７６】
１、１０１、１０２、１０３、１０４、２００…蓋構造
１０、１１０…蓋体
１３…蓋側軸部
１３ａ…軸穴
２０…二重床
３０…開口
４０…カ−ペット
５０…台座
５３…台座側軸部
５３ａ…軸穴
６０、１６０、２６０、３６０…連結部材
６１…第一回転軸
６２…第二回転軸
【図１】
2020073767.tif 000003
【図２】
2020073767.tif 000004
【図３】
2020073767.tif 000005
【図４】
2020073767.tif 000006
【図５】
2020073767.tif 000007
【図６】
2020073767.tif 000008
【図７】
2020073767.tif 000009
【図８】
2020073767.tif 000010
【図９】
2020073767.tif 000011
【図１０】
2020073767.tif 000012
【図１１】
2020073767.tif 000013
【図１２】
2020073767.tif 000014
【図１３】
2020073767.tif 000015